(57)【要約】【課題】パターラインを自在に変更し、慣れを排して実戦的にパター技術を磨く練習を行うことができるパターライン変更装置を提供する。【解決手段】支柱１と、支柱１を上下動させて所定の高さ位置で固定しうる昇降手段２と、上記支柱１の上端部から放射状に延びて上下揺動可能な傘骨状部材３と、各傘骨状部材３によって構成される傘状の仮想斜面に敷設される人工芝シート４とを備え、  上記昇降手段２で支柱１の高さを変えることにより、人工芝シート４によって形成される傘状斜面の角度を可変とした。【選択図】図１
0003175715.tif 000002
【実用新案登録請求の範囲】
【請求項１】
支柱と、支柱を上下動させて所定の高さ位置で固定しうる昇降手段と、上記支柱の上端部から放射状に延びて上下揺動可能な傘骨状部材と、各傘骨状部材によって構成される傘状の仮想斜面に敷設される人工芝シートとを備え、
上記昇降手段で支柱の高さを変えることにより、人工芝シートによって形成される傘状斜面の角度を可変としたことを特徴とするパターライン変更装置。
【請求項２】
傘骨状部材の先端部に車輪が取り付けられている請求項１記載のパターライン変更装置。
【考案の詳細な説明】
【技術分野】
【０００１】
本考案は、ゴルフのパターラインを自在に変更するためのパターライン変更装置に関する。
【背景技術】
【０００２】
ゲートボールは、高齢者向けのスポーツとしてかつて爆発的な流行をした。このゲームは、スティックでボールを打って順番にゲートを通過させる、５人一組のチームが対抗戦を行って勝敗を決めるものである。試合運びとして、「いかに得点するか」よりも「いかに相手を邪魔するか」に重点がおかれる傾向にある。相手のボールを弾き出すようなことも頻繁に行われる。このため、友人知人との諍いの種となり、今では昔ほどの人気はなくなってきている。
【０００３】
グラウンドゴルフはゴルフと同様に、自分の球は自分の責任でプレイが進められる。ゲートボールのような諍いは起こらないので、中高年の競技人口も増えており、各市町村で人気が上昇している。
【０００４】
ゴルフでは、ピンに向かってのロングショットやグリーンへのアプローチの技術も勿論重要であるが、パターの技術が極めて重要で、それが成績に直結する。例えば、パー４のホールで２オンしたとしても、パターに３打４打費やしてはスコアは延びない。一方、ゴルフ場側でも、グリーン上でカップの位置を変えることにより、ホールに変化をもたせてプレイヤーの慣れを防いでいる。
【先行技術文献】
【特許文献】
【０００５】
【特許文献１】特開平６−０４７１２２号公報
【特許文献２】特開平６−３４３７２７号公報
【考案の概要】
【考案が解決しようとする課題】
【０００６】
従来から、パターの練習施設は存在したが、ワンパターンな練習を繰り返すものがそのほとんどである。ワンパターンの練習を繰り返したとしても、慣れによって成功率は高くなるが、プレーのたびに条件が異なり、時にはカップの位置で変わるコースにおけるパター技術を磨くにはとうてい至らない。
【０００７】
一方で、近年の長引く不況のあおりで、テナントビル等の賃貸物件には空きが目立ち、その有効活用が強く望まれている。
【０００８】
本考案は、上記課題を解決するためになされたものであり、パターラインを自在に変更し、慣れを排して実戦的にパター技術を磨く練習を行うことができるパターライン変更装置を提供することをその目的とする。
【課題を解決するための手段】
【０００９】
上記の目的を達成するため、本考案のパターライン変更装置は、支柱と、支柱を上下動させて所定の高さ位置で固定しうる昇降手段と、上記支柱の上端部から放射状に延びて上下揺動可能な傘骨状部材と、各傘骨状部材によって構成される傘状の仮想斜面に敷設される人工芝シートとを備え、
上記昇降手段で支柱の高さを変えることにより、人工芝シートによって形成される傘状斜面の角度を可変としたことを要旨とする。
【考案の効果】
【００１０】
本考案のパターライン変更装置は、上記昇降手段で支柱の高さを変えると、支柱の上端部から放射状に延びた傘骨状部材は、先端部が床面についた状態で揺動する。そうすると、各傘骨状部材によって構成される傘状の仮想斜面の角度が変わる。各傘骨状部材によって構成される傘状の仮想斜面に敷設される人工芝シートによって形成される傘状斜面の角度が変わる。このようなライン変更装置をグリーン上に設置したり、もしくは別途カップを配置した床面に設置し、様々な角度の傾斜面を経由したラインでパターの練習をすることができる。このように、パターラインを自在に変更し、慣れを排して実戦的にパター技術を磨く練習を行うことができるのである。
【００１１】
本考案のパターライン変更装置において、傘骨状部材の先端部に車輪が取り付けられている場合には、
昇降手段で支柱の高さを変えて傘骨状部材の角度を変えるときに、傘骨状部材の先端部についた車輪が容易に床面を転がるため、角度の変更が極めてスムーズに行われる。
【図面の簡単な説明】
【００１２】
【図１】本考案の一実施の形態におけるパターライン変更装置を示す図である。
【図２】上記パターライン変更装置の使用状態を説明する図である。
【考案を実施するための形態】
【００１３】
以下、本考案のパターライン変更装置の実施の形態について詳細に説明する。
【００１４】
図１は本考案の一実施形態におけるパターライン変更装置を示す図である。（ａ）は断面図、(ｂ)は人工芝シートを除去した平面図である。
【００１５】
この装置は、支柱１と、支柱１を上下動させて所定の高さ位置で固定しうる昇降手段２と、上記支柱１の上端部から放射状に延びて上下揺動可能な傘骨状部材３と、各傘骨状部材３によって構成される傘状の仮想斜面に敷設される人工芝シート４とを備えている。
【００１６】
上記支柱１は、この例では金属性で円筒状に形成されたものを用いている。支柱の上端周縁に、放射状に延びる傘骨状部材３が取り付けられている。傘骨状部材３はヒンジ軸６を介して取り付けられることにより、根元のヒンジ軸６を中心として先端側が上下揺動可能となっている。この例では傘骨状部材３が１２本設けられている。１２本の傘骨状部材３が支柱１の先端部から放射状に延びて先端が床面７に当たっている。この状態で、各傘骨状部材３によって傘状の仮想斜面が形成され、その仮想斜面上に人工芝シート４が敷設されて傘状斜面を形成する。
【００１７】
上記支柱１は、昇降手段２によって上下動可能でかつ所定の高さ位置で固定しうるようになっている。昇降手段２としては、具体的には、ネジ式のジャッキ、エアシリンダ、油圧シリンダ等を用いることができる。昇降手段２によって支柱１を上下動させることにより、傘骨状部材３の根元の高さ位置が変わる。支柱１を上昇させると、各傘骨状部材３によって形成される傘状の仮想斜面が窄まって、傘状斜面は急傾斜になる。支柱１を下降させると、各傘骨状部材３によって形成される傘状の仮想斜面が拡がって、傘状斜面は緩傾斜になる。
【００１８】
上記傘骨状部材３の先端部には、車輪５が取り付けられている。これにより、昇降手段２が支柱１を昇降させるときに、傘状骨部材３の先端についた車輪５が床面７上を転がって、各傘骨状部材３が窄まったり拡がったりする動作がスムーズに行われる。
【００１９】
このように、本実施形態では、上記昇降手段２で支柱１の高さを変えることにより、人工芝シート４によって形成される傘状斜面の角度が可変となっている。
【００２０】
図２は、本実施形態のライン変更装置１０の使用状態を説明する図である。
【００２１】
別に設けたカップ８の近傍にライン変更装置１０を設置する。そして、ライン変更装置１０が形成する傘状斜面を経由してボール９がカップインするようにパターで打つ。支柱１の高さを自在に変更して傘状斜面の角度を変え、カップ８に対する位置も自由に変更できる。このようにすることにより、慣れを排してパター技術の練習を行うことができる。このような装置は、例えば、テナントビルの空き部屋等に設置して練習場として使用することを可能とする。もちろんコースのグリーン上に設置することを妨げる趣旨ではない。
【００２２】
このようなパターライン変更装置は、傘状斜面の大きいものと小さいものを組み合わせて様々な起伏のパターラインを実現することができる。
【００２３】
以上のように、本実施形態によれば、上記昇降手段２で支柱１の高さを変えると、支柱１の上端部から放射状に延びた傘骨状部材３は、先端部が床面７についた状態で揺動する。そうすると、各傘骨状部材３によって構成される傘状の仮想斜面の角度が変わる。各傘骨状部材３によって構成される傘状の仮想斜面に敷設される人工芝シート４によって形成される傘状斜面の角度が変わる。このようなライン変更装置をグリーン上に設置したり、もしくは別途カップ８を配置した床面７に設置し、様々な角度の傾斜面を経由したラインでパターの練習をすることができる。このように、パターラインを自在に変更し、慣れを排して実戦的にパター技術を磨く練習を行うことができるのである。
【００２４】
また、傘骨状部材３の先端部に車輪５が取り付けられているため、
昇降手段２で支柱１の高さを変えて傘骨状部材３の角度を変えるときに、傘骨状部材３の先端部についた車輪５が容易に床面７を転がるため、角度の変更が極めてスムーズに行われる。
【符号の説明】
【００２５】
１  支柱
２  昇降手段
３  傘骨状部材
４  人工芝シート
５  車輪
６  ヒンジ軸
７  床面
８  カップ
９  ボール
１０  ライン変更装置
【図１】
0003175715.tif 000003
【図２】
0003175715.tif 000004